(57)【要約】この発明は自動車展示場に強風や突風に吹き飛ばされない簡易屋根を常設し、展示自動車本体への積雪と風雨や直射日光による展示自動車の塗装面の劣化を防ぐためのもので、簡易屋根に関する発明である。【課題】１．簡易屋根を設置し、展示自動車本体に雪が積もらないようにする。２．簡易屋根が強風や突風に吹き飛ばされない構造する。３．簡易屋根からの落雪の除雪・排雪が容易にできるようにする。４．常設できる簡易屋根を廉価に設置できるようにする。【解決の手段】１．廉価で常設できる簡易屋根を設置し、展示自動車本体に雪が積もらないようにする。２．簡易屋根に一部可動式の通風帯の装置を設置し、屋根の吹き飛ばしや倒壊を防ぐようにする。３．簡易屋根に雪や氷がつきにくい素材を使用する。４．落雪の除雪・排雪が容易にできるように配置の面で工夫する。【選択図】      図１
2004156418.tif 000002
【特許請求の範囲】
【請求項１】
自動車展示場の簡易屋根に一部可動式の通風帯の装置を設置し、強風や突風による展示場の屋根の吹き飛ばしや倒壊を防ぎ、このことによって展示自動車本体への積雪を防止し、合わせて風雨や直射日光による展示自動車の塗装面の劣化を防ぐ簡易屋根。
【発明の詳細な説明】
【０００１】
【発明の属する技術分野】
本発明は広いスペースを必要とする自動車展示場に簡易屋根を設置し、展示自動車本体への積雪と風雨や直射日光による展示自動車の塗装面の劣化を防ぎ、合わせて人力に頼らざるを得なかった展示自動車本体の除雪の労力と除雪費の節減をも計ろうとするものであり、簡易屋根に関する内容の分野である。
【０００２】
【従来の技術】
大手の自動車会社の中には本格的な屋根付きの自動車展示場を建設しているところもあるが、系列の関連会社や多くの自動車会社では本格的な屋根付き展示場をもっていないのが現状である。
自動車会社の中には、高級車の展示のみを対象にした屋根付きの自動車展示場を設置しているところもあるが、これから述べる屋根付きの自動車展示場は一般的な自動車の展示場を対象にしたものである。
尚、屋根付きの自動車展示場は冬期の積雪時ばかりでなく、夏期の風雨や直射日光の照射による塗料の劣化を防ぐためにも必要欠くべからざる自動車の格納用具であることは、関係者全員の認めるところである。
１．一般車（新車・中古車を含めて）の屋根付きの自動車展示場の建設には広いスペースを必要とするため、廉価の設備費で建設できることが条件に上げられている。
２．廉価でできる屋根付きの自動車展示場で、展示車両が良く見えるものとなれば天幕形式のものが考えられが、天幕形式のものは強風や突風に弱いという最大の欠点をもっている。もし強風や突風によって天幕ばかりでなく展示車そのものに傷がつくような事態になった場合、元も子もなくることが懸念されるため、今までこの形式のものは敬遠され、一般の展示車両はやむなく青空展示で間に合わせていたようである。
３．従来の天幕形式のものの欠点の原因は、天幕そのものが縫い合わせによって一枚の屋根に仕上げられているため、強風や突風を受けたとき、天幕の中に入ってきた空気の逃げ場がなくなるために生ずる風圧や天幕の下を通りぬける風速による一時的な下圧、その後にくる急激な風圧の上昇、又、天幕の上下を吹き抜ける風速の差による揚力などが複雑に絡み合って、天幕が吹き飛ばされたり、時によっては支柱を含め天幕そのものが倒壊することもあると考えられている。
４．この天幕形式のものを、強風や突風にも耐えることができる構造に改善し耐用年数が長く、しかも常設できる簡易屋根の発想と、やむなく青空展示場で間に合わせている多くの自動車会社の強い要望から考えられたのが、今回提案の簡易屋根の発明である。
【０００３】
従来考えられた天幕形式のものにも、強風や突風に対処するための工夫がが施されたものも開発されているが、設置目的、利用方法、天幕の工夫に難点があり、展示自動車の簡易屋根としては、とても実用に適したものとは言い難い。
１．特開平８−１５８７０５は天幕そのものに数か所の丸い穴を開け、そこへ平常の場合は蓋をかぶせ、強風や突風のときにはそこから風を逃がして天幕の倒壊や吹き飛ばしを防ごうとするもので、目的は雨・日除けのためのものであり、行事等で一時的に利用する天幕への利用が主であつて、常設を目的とする展示自動車の簡易屋根としては到底その目的に合致できない天幕である。
２．実願  昭６０−１５６３８５は天幕の中間部（長方形の天幕の対角線上の一部）に切断部分を設け、通常時は閉塞し、強風時には開口するように形成された天幕であるが、これも一時的な行事等で雨や日除けのために利用することができても、１と同じように常設を目的とする展示自動車の簡易屋根としては、到底実用に耐える天幕ではない。特に冬期の積雪地帯での利用では自然落雪が不可能な構造になっているため、冬期間の展示自動車の簡易屋根としては不適当な天幕である。
【０００４】
【発明が解決しようとする課題】
１．簡易屋根を設置し展示自動車本体の屋根やボンネット等に雪が積もらないようにすること。
２．簡易屋根が強風や突風に吹き飛ばされないようにすること。
３．展示自動車の展示効果を引き立てることができるようにすること。
４．簡易屋根から滑り落ちた雪の除雪・排雪が容易にできるような配置や工夫が自由にできること。
５．簡易屋根が廉価に設置でき、しかも耐用年数が長く、常設できる簡易屋根であること。
【０００５】
【課題を解決するための手段】
自動車展示場の簡易屋根に一部可動式の通風帯の装置を設置し、強風や突風による展示場の屋根の吹き飛ばしや倒壊を防ぎ、このことによって展示自動車本体への積雪を防止し、合わせて風雨や直射日光による展示自動車の塗装面の劣化を防ぐ簡易屋根。
【０００６】
【実施例】
上記の
【０００４】の課題を解決できる簡易屋根として、天幕形式のものを取り上げ、下記のような改善点を付加することにした。
１．簡易屋根の雪の除雪を必要としないようにするため、屋根に雪が積もらない構造上の設計と雪や氷を寄せつけない材質の天幕を使用する。
▲１▼  屋根の部分の斜度を水平面に対して４５度になるように設定し、気温が低く比較的軽い性質の雪でも屋根から滑り落ちるようにする。
▲２▼  積雪地帯以外で利用する場合は、４５度にこだわる必要はなく平常の天幕の斜度で十分である。
▲３▼  天幕のシートは雪や氷がつかないビニール系の物を使用する。
２．強風や突風に屋根が吹き飛ばされたり、倒壊しないようにするため、天幕を重ね合わせ部分を含め、数枚に分割したものを利用する。
▲１▼  この天幕のシートを図１のようにＡ．Ｂ．Ｃ．Ｄ．Ｅの５枚に分け、各シートの上の部分をアルミメッキ製の骨組みに固定させ、下の部分は一段下のシートの上の部分に重なるように設定し、雨や雪が下の方に流れ落ちるようにする。
▲２▼  各シートの下の重なりの部分には、７〜１０ｃｍのゴム入りの細いロープを数か所取り付け、風圧がかかった場合ここから風がぬけるように設定しておく。
３．降った雪が屋根に積もらないような設計を取り入れているが、降つた雪が屋根の天幕から滑り落ちるとき、天幕の重ね合わせ部分を凹ませないようにするため、天幕を張る部分の内側全体に網を張っておく。
４．特別な理由で屋根に雪が積もった場合でも、天幕のため屋根の内側からの操作で雪を落とすことが可能である。
５．天幕の二等辺三角の垂直部分には頂点から垂直にチャックをつけ、平常時はチャックを閉め、暴風等の予報が発表された時にはこのチャックをはずして風の流れをよくし、屋根の吹き飛しや倒壊を防止する。
６．天幕の骨組みは錆びにくいアルミメッキ製の肉厚のパイプを使用する。
７．簡易屋根付きの自動車展示場は、一台分だけではないので、それぞれの屋根（集合屋根）の軒先の水平部分の骨組みをアルミメッキ製のパイプでつなぎ合わせ、簡易屋根全体の強度を強くする。なお、集合屋根の外側部分の軒先と軒先から１ｍぐらい離れた設置面との間をタンバックルをつけたワイヤーで補強すれば、骨組み全体の強度は更に増すことになる。
８．それぞれの屋根の軒先と軒先の間には、屋根から落ちてくる雪のたまり場になるので、屋根の軒先と軒先との間隔は４０ｃｍに設定する。（展示車間の間隔は９０ｃｍになる）
９．接地面への固定方法は、各支柱の接地面へ１５ｃｍの正方形の鉄板を溶接し、その鉄板を４本のビスでコンクリート盤に固定する。
１０．更に自動車の展示場の周囲の内、建造物がない部分に非常用の暴風ネット（果樹園などで利用しているようなもの）を併用すれば万全である。
【０００７】
【発明の効果】
１．この方法では天幕が強風や突風に飛ばされる心配がなくなるので、普通の天幕より大きな規格の天幕を製作することが可能になる。
２．標準規格として図３の▲１▼普通乗用車縦１台分、▲２▼普通乗用車縦２台分その他の製作が考えられるが展示の場所、内容・目的等に応じて幾通りもの規格の製品の製作が可能になる。
３．天幕から落ちた雪の除雪、排雪を考慮して配置の工夫が自由にできる
４．天幕に宣伝のための色彩、字幕、いろいろな模様の図形等を染めることも自由にできる。
５．当初の目的の展示自動車本体の除雪の心配が解消されるため、その分自社の社員の労力奉仕が不要になり、社員本来の仕事に専念してもらうことができる。
６．展示自動車本体の除雪による雪害がなくなるので、展示自動車本来の価格での販売が可能になる。
７．降雪期以外の時期でも、風雨や太陽光線による表面塗料の品質の劣化を防ぐことができる。
８．現在の優れた技術で製作されたビニール系のシートとアルミメッキ製のパイプとの組み合わせによる天幕は耐久性の面でも抜群であり、常設にも十分耐え得る製品の製作が可能である。
９．本格的屋根付きの展示場に比べ格段の廉価での製作費で設置でき、しかも原則として固定式としているが、必要に応じて移動も簡単にできるという特性を兼ね備えている。
【図面の簡単な説明】
【図１】立面図
▲１▼普通乗用車縦１台分
▲２▼集合屋根の立面図
【図２】斜視図
▲１▼普通乗用車縦１台分
【図３】平面図
▲１▼普通乗用車縦１台分
▲２▼普通乗用車縦２台分（参考）
▲３▼普通乗用車横（並列）１台分（参考）
【符号の説明】
１．シートＡ                        １２．補強用パイプ骨組み
２．シートＢ                        １３．集合屋根のつなぎパイプ
３．シートＣ                        １４．支柱接地面の固定鉄板
４．シートＤ                        １５．固定鉄板のビス
５．シートＥ                        １６．補強用ワイヤー
６．チャツク付きシート                    （集合屋根の一方の端）
７．７〜１０ｃｍのゴム入りロープ    １７．締め具（タンバックル）
８．屋根シート全面内張りの網        １８．接地面のワイヤー止め具
９．パイプ支柱
１０．パイプ骨組み（棟用）
１１．パイプ骨組み
【図１】
2004156418.tif 000003
【図２】
2004156418.tif 000004
【図３】
2004156418.tif 000005